(57)【特許請求の範囲】
【請求項１】
遊技を司る制御を行う機能を有した主制御基板と、遊技媒体を遊技者に払い出す払出手段と、予め定められた入賞条件が成立した場合又は予め定められた貸出条件が成立した場合に、遊技者に対して遊技媒体が払い出されるよう該払出手段を駆動制御する払出制御手段とを備えた遊技機において、
前記払出制御手段は、少なくとも前記入賞条件の成立に基づく遊技媒体の払出制御を行うために用いられる第１基板と、該第１基板とは独立して設けられ、少なくとも前記貸出条件の成立に基づく遊技媒体の払出制御を行うために用いられる第２基板とを備え、
前記主制御基板と前記第１基板とは互いに接続されており、前記主制御基板は、前記入賞条件の成立に基づく遊技媒体の払出に関する異常検査を行う機能を有し、
前記主制御基板と前記第２基板との間では、互いに独立していて、前記主制御基板は、前記貸出条件の成立に基づく遊技媒体の払出に関する異常検査を行わない構成であり、
前記主制御基板と前記第２基板とを被包手段によって被包するとともにその被包状態を封印する封印手段を設け、
前記被包手段は、前記主制御基板を被包する被包部材と、前記第１基板を被包せず前記第２基板を被包する被包部材と、を備えていることを特徴とする遊技機。
【発明の詳細な説明】
【技術分野】
【０００１】
本発明は、複数の制御基板を備えた遊技機に関する。
【背景技術】
【０００２】
近年、パチンコ機等の遊技機の制御は、ＩＣ，ＬＳＩ等の多数の電子部品を配設したロジック制御回路基板またはマイクロコンピュータを有する制御回路基板等（以下、制御基板という）により行われている。これらの制御基板は、例えばパチンコ機では遊技盤の背面側に取り付けられた遊技機用基板ボックス内に収納されている。この遊技機用基板ボックスは、例えば制御基板を被包して収納するためのボックスベースとボックスカバーとを備えている。
【０００３】
かかる遊技用基板ボックス内に収納された制御基板から遊技内容に関する制御情報が記憶されたＲＯＭを取り外し交換して、遊技機の遊技内容を変更する不正行為が行われる場合がある。このような不正行為の防止対策として、例えば遊技機用基板ボックス内からＲＯＭを取り外すことができないように遊技機用基板ボックスのボックスベースとボックスカバーとを封印ねじ等の特殊ねじを用いて接合し、遊技機用基板ボックスを封印する等の封印処理が施されている。
【発明の概要】
【発明が解決しようとする課題】
【０００５】
ところで、今後は単一の制御基板による制御機能の集約に代え、複数の制御基板を用いて制御負担の分散を図った所謂インテリジェント化が進むものと考えられる。この場合、単一の制御基板を前提とした不正対策では、不十分である。
【０００６】
本発明は、上記例示した事情等に鑑みてなされたものであり、複数の制御基板を備えた遊技機において、制御基板に対する不正行為を好適に抑制することができる遊技機を提供することを目的とする。
【課題を解決するための手段】
【０００７】
上記課題を解決するため、請求項１記載の発明は、遊技を司る制御を行う機能を有した主制御基板と、遊技媒体を遊技者に払い出す払出手段と、予め定められた入賞条件が成立した場合又は予め定められた貸出条件が成立した場合に、遊技者に対して遊技媒体が払い出されるよう該払出手段を駆動制御する払出制御手段とを備えた遊技機において、
前記払出制御手段は、少なくとも前記入賞条件の成立に基づく遊技媒体の払出制御を行うために用いられる第１基板と、該第１基板とは独立して設けられ、少なくとも前記貸出条件の成立に基づく遊技媒体の払出制御を行うために用いられる第２基板とを備え、
前記主制御基板と前記第１基板とは互いに接続されており、前記主制御基板は、前記入賞条件の成立に基づく遊技媒体の払出に関する異常検査を行う機能を有し、
前記主制御基板と前記第２基板との間では、互いに独立していて、前記主制御基板は、前記貸出条件の成立に基づく遊技媒体の払出に関する異常検査を行わない構成であり、
前記主制御基板と前記第２基板とを被包手段によって被包するとともにその被包状態を封印する封印手段を設け、
前記被包手段は、前記主制御基板を被包する被包部材と、前記第１基板を被包せず前記第２基板を被包する被包部材と、を備えていることを特徴とする。
【発明の効果】
【０００８】
本発明によれば、複数の制御基板を備えた遊技機において、制御基板に対する不正行為を好適に抑制することができる。
【図面の簡単な説明】
【０００９】
【図１】一実施の形態におけるパチンコ機を示す斜視図である。
【図２】パチンコ機の遊技盤面の正面図である。
【図３】各種基板及び基板ボックス等を説明するためのパチンコ機の背面図である。
【図４】主基板と払出制御基板との関係等を示すブロック図である。
【図５】封印ユニットが配設された基板ボックスが開封された状態を示す斜視図である。
【図６】封印ユニットを構成する各部材の分解斜視図である。
【図７】保持部に封印金具が保持されている状態における封印ユニットの部分断面図である。
【図８】基板ボックスを封印した状態における封印ユニットの部分断面図である。
【図９】封印ユニット装着前における基板ボックスの分解斜視図である。
【図１０】基板管理番号シールの平面図である。
【図１１】別の実施の形態における主基板と払出制御基板との関係等を示すブロック図である。
【図１２】別の実施の形態における主基板と払出基板との関係等を示すブロック図である。
【発明を実施するための形態】
【００１０】
はじめに、本実施の形態から抽出され得る発明群を手段ｎ（ｎ＝１，２，３…）として区分して示し、それらを必要に応じて効果等を示しつつ説明する。なお以下においては、理解の容易のため、本実施の形態において対応する構成を括弧書き等で適宜示すが、この括弧書き等で示した具体的構成に限定されるものではない。
【００１１】
手段１．遊技機の制御に関与する複数の制御基板を備えた遊技機において、
複数の制御基板を被包手段によって被包するとともにその被包状態を封印する封印手段を設けたことを特徴とする遊技機。
【００１２】
手段１によれば、基板が被包手段によって被包されその被包状態が封印手段によって封印されているため、被包状態を解いて元の状態に復帰させることは不可能となって、不正の防止又は不正の早期かつ容易な発見に寄与し得る。また、複数の基板について被包状態を封印する手段を設けることしたので、不正防止に必要な複数の基板についてその対策を講じることができる。
【００１３】
手段２．遊技機の制御に関与する複数の制御基板を備えた遊技機において、
前記各制御基板のうち、遊技媒体の払出に関与する制御基板を被包手段によって被包するとともにその被包状態を封印する封印手段を設けたことを特徴とする遊技機。
【００１４】
手段２によれば、遊技媒体の払出という遊技者に現実に付与される遊技価値の大小を決定付ける制御基板に関しての不正を、当該制御基板の被包及び封印によって防止又は発見することができる。
【００１５】
手段３．遊技機の制御に関与する複数の制御基板を備え、特別遊技状態が発生すると所定条件下で遊技媒体を払い出すようにした遊技機において、
前記各制御基板のうち、特別遊技状態の発生及び遊技媒体の払出の少なくとも何れか一方に関与する制御基板を被包手段によって被包するとともにその被包状態を封印する封印手段を設けたことを特徴とする遊技機。
【００１６】
手段３によれば、特別遊技状態の発生という遊技者に付与される遊技価値の大小を第一義的に決定付ける制御基板や遊技媒体の払出という遊技者に現実に付与される遊技価値の大小を決定付ける制御基板に関しての不正を、当該制御基板の被包及び封印によって防止又は発見することができる。即ち、かかる手段によれば、特別遊技状態を不正に発生させることなく遊技媒体を不正に払い出させようとする行為を防止等することができる。
【００１７】
手段４．遊技を司る主制御機能を有した主制御基板と、遊技媒体を遊技者に払い出す払出手段と、該払出手段を駆動制御する払出制御機能を有した払出制御基板とを備えた遊技機において、
前記主制御基板と前記払出制御基板とを被包手段によって被包するとともにその被包状態を封印する封印手段を設けたことを特徴とする遊技機。
【００１８】
手段４によれば、主制御基板は遊技機の中枢を司り、また払出制御基板は遊技媒体の払出という遊技者に付与される遊技価値の大小を現実のものとして決定付ける点で不正の対象となり易いと考えられる。そこで、主制御基板及び払出制御基板が被包手段によって被包しその被包状態を封印手段によって封印したことにより、被包状態を解いて元の状態に復帰させることは不可能となって、遊技媒体の不正払出を防止し、またそのような事態を早期かつ容易に発見し得る。なお、主制御基板と払出制御基板との被包及び封印は両基板で共有としてもよいし、個別に被包及び封印するようにしてもよい。
【００１９】
手段５．遊技を司る主制御機能を有した主制御基板と、景品媒体及び貸出媒体を遊技者に払い出す払出手段と、該払出手段を駆動制御する払出制御機能を有した払出制御基板とを備えた遊技機において、
前記主制御基板と前記払出制御基板とを被包手段によって被包するとともにその被包状態を封印する封印手段を設けたことを特徴とする遊技機。
【００２０】
手段５によれば、主制御基板は遊技機の中枢を司り、また払出制御基板は景品媒体及び貸出媒体の払出という点で不正の対象となり易いと考えられる。そこで、主制御基板及び払出制御基板が被包手段によって被包しその被包状態を封印手段によって封印したことにより、被包状態を解いて元の状態に復帰させることは不可能となって、媒体の不正払出を防止し、またそのような事態を早期かつ容易に発見し得る。なお、主制御基板と払出制御基板との被包及び封印は両基板で共有としてもよいし、個別に被包及び封印するようにしてもよい。また、払出手段は景品媒体の払出と貸出媒体の払出とを個別に行うものとしてもよいし、併せて行うものとしてもよい。
【００２１】
手段６．遊技を司る主制御機能を有した主制御基板と、景品媒体及び貸出媒体を遊技者に払い出す払出手段と、該払出手段を駆動制御する払出制御機能を有した払出制御基板とを備えた遊技機において、
前記払出制御基板のうち景品媒体の払出制御に関する部分と貸出媒体の払出制御に関する部分とが独立して設けられており、
前記主制御基板と前記払出制御基板のうち景品媒体の払出制御に関する部分との間では、互いに接続されて、景品媒体の払出に関する異常検査を主制御基板側で行う機能を有している一方、
前記主制御基板と前記払出制御基板のうち貸出媒体の払出制御に関する部分との間では、互いに独立していて、貸出媒体の払出に関する異常検査を主制御基板側で行わないように構成し、
更に、前記主制御基板と前記払出制御基板のうち貸出媒体の払出制御に関する部分とを被包手段によって被包するとともにその被包状態を封印する封印手段を設けたことを特徴とする遊技機。
【００２２】
手段６によれば、主制御基板は遊技機の中枢を司り、また払出制御基板は景品媒体及び貸出媒体の払出という点で不正の対象となり易いと考えられる。ここで、払出制御基板のうち、景品媒体の払出に関する異常検査は主制御基板側で行われているため、主制御基板を封印することでそのような不正に対しては対応することができるが、貸出媒体の払出に関しては主制御基板側では不正のチェックを行っていないことから不正の標的になる可能性がある。このように構成した理由は景品媒体を遊技機から払い出すタイプのものと遊技機とは別に払い出すもの（所謂サンドからの払出等）とで遊技機の大部分を兼用させる等のためである。この点、本手段によれば、払出制御基板のうち貸出媒体の払出制御に関する部分についても被包及び封印するようにしたことから、貸出媒体に関する不正を主制御基板によるチェックなくしても実行することができる。
【００２３】
手段７．遊技を司る主制御機能を有した主制御基板と、景品媒体及び貸出媒体を遊技者に払い出す払出手段と、該払出手段を駆動制御する払出制御機能を有した払出制御基板とを備えた遊技機において、
前記払出制御基板は、景品媒体の払出制御に関する景品媒体払出制御基板と貸出媒体の払出制御に関する貸出媒体払出制御基板とが独立して設けられて構成されており、
前記主制御基板と前記景品媒体払出制御基板との間では、互いに接続されて、景品媒体の払出に関する異常検査を主制御基板側で行う機能を有している一方、
前記主制御基板と前記貸出媒体払出制御基板との間では、互いに独立していて、貸出媒体の払出に関する異常検査を主制御基板側で行わないように構成し、
更に、前記主制御基板と前記貸出媒体払出制御基板とを被包手段によって被包するとともにその被包状態を封印する封印手段を設けたことを特徴とする遊技機。
【００２４】
手段７によれば、主制御基板は遊技機の中枢を司り、また払出制御基板は景品媒体及び貸出媒体の払出という点で不正の対象となり易いと考えられる。ここで、払出制御基板のうち、景品媒体の払出に関する異常検査は主制御基板側で行われているため、主制御基板を封印することでそのような不正に対しては対応することができるが、貸出媒体の払出に関しては主制御基板側では不正のチェックを行っていないことから不正の標的になる可能性がある。このように構成した理由は景品媒体を遊技機から払い出すタイプのものと遊技機とは別に払い出すもの（所謂サンドからの払出等）とで遊技機の大部分を兼用させる等のためである。この点、本手段によれば、払出制御基板のうち貸出媒体の払出制御に関する部分についても被包及び封印するようにしたことから、貸出媒体に関する不正を主制御基板によるチェックなくしても実行することができる。更に、もしも払出制御基板を単一のものとすると、そのうちの貸出媒体の払出制御に関する部分だけを被包及び封印することとなるため、その被包及び封印処理が複雑になってしまうが、本手段によれば、払出制御基板を、景品媒体払出制御基板と貸出媒体払出制御基板とで分離構成したことから、貸出媒体払出制御基板だけを被包及び封印することができるのでそれらの処理が簡易なものとなる。
【００２５】
手段８．手段１乃至手段７のいずれかにおいて、前記封印手段は、被包手段による被包状態を解除した場合に解除前の状態に戻せなくなる機能を有するものであることを特徴とする遊技機。
【００２６】
手段８によれば、一旦被包手段による被包状態を解除すると、封印手段の機能によって解除前の状態に戻せなくなることから、被包手段による被包状態を解除すると不正が行われた可能性があることを容易に知ることができる。
【００２７】
手段９．手段１乃至手段７のいずれかにおいて、前記封印手段は、被包手段による被包状態を解除した場合に破損される機能を有するものであることを特徴とする遊技機。
【００２８】
手段９によれば、一旦被包手段による被包状態を解除すると、封印手段の機能によって当該封印手段が破損される結果、解除前の状態に戻せなくなることから、被包手段による被包状態を解除すると不正が行われた可能性があることを容易に知ることができる。
【００２９】
手段１０．手段１乃至手段９のいずれかにおいて、前記被包手段は、第１被包部材と第２被包部材とから構成され、各被包部材を連結することにより前記制御基板を被包するようにしたことを特徴とする遊技機。
【００３０】
手段１０によれば、各被包部材を連結するだけで制御基板を被包することができるため、被包作業効率の向上を図ることができる。
【００３１】
手段１１．手段１０において、前記封印手段は、第１被包部材と第２被包部材とに跨るように設けられたものであることを特徴とする遊技機。
【００３２】
手段１１によれば、第１被包部材と第２被包部材との連結状態の解除を封印手段によって事実上阻止することができる。事実上としたのは、一応は解除できるとしても、上記手段７又は手段８で説明したように封印手段の破損等によってその不正発生を容易に発見することができるものも不正の阻止と考えることができることによる。
【００３３】
手段１２．手段１１において、前記封印手段は、第１被包部材に設けられた第１封印部材と、第２被包部材に設けられた第２封印部材とを備え、第１被包部材と第２被包部材との連結時に第１封印部材と第２封印部材とを連結して封印するように構成したことを特徴とする遊技機。
【００３４】
手段１２によれば、封印手段を、第１被包部材側に設けられた第１封印部材と、第２被包部材側に設けられた第２封印部材とから構成したことで、封印作業効率の向上に寄与し得る。なお、第１封印部材と第２封印部材との封印は、両者の係合関係によって達成するものとしてもよいし、他の封印部材を第１封印部材と第２封印部材との両者に係合するようにして構成してもよい。
【００３５】
手段１３．手段１乃至手段１２のいずれかにおいて、封印の解除を１回又は複数回行うことができるように封印手段による封印部分を複数設けたことを特徴とする遊技機。
【００３６】
手段１３によれば、遊技機設置後等に行われる必要な検査時に封印を解除して制御基板を検査した後、再度封印する場合に同一の封印手段をそのまま利用することができる。但し、このような機能を設けた場合には、その封印解除が適正に行われたことを担保する必要があることから、被包手段等にそのような封印解除履歴を付する機能を持たせるべきである（例えば、図面図１０及びその説明参照）。
【００３７】
手段１４．手段１乃至手段１３のいずれかにおいて、前記被包手段は、少なくとも被包している制御基板の中枢部位を外部から確認できるよう、少なくとも一部に透明又は半透明の材質が使用されていることを特徴とする遊技機。
【００３８】
手段１４によれば、不正されやすいＣＰＵ，ＲＯＭ，ＲＡＭ等の中枢部位を、被包手段の透明又は半透明部分を通じて外部より把握することができ、不正の早期発見を図ることができる。
【００３９】
手段１５．手段１乃至手段１４のいずれかにおいて、前記複数の制御基板の封印手段は、制御基板毎に異なる封印形態とされていることを特徴とする遊技機。
【００４０】
手段１５によれば、封印形態が制御基板毎に異なるため、巧妙に全ての封印を解除するような不正は殆ど不可能となる。
【００４１】
手段１６．手段１乃至手段１４のいずれかにおいて、前記複数の制御基板の封印手段は、制御基板の種類にかかわらず同一の封印形態とされていることを特徴とする遊技機。
【００４２】
手段１６によれば、封印形態が制御基板毎に同一であるため、封印手段の製作が容易になる。この場合、一種類の封印手段の構成の開発・製作に時間を割くことができるため、より不正対策に優れた封印手段の実現が期待できる。
【００４３】
手段１７．手段１乃至手段７のいずれかにおいて、遊技機の制御を司る制御基板（主制御基板）以外の制御基板に対する封印は、解除不能な構成とされていることを特徴とする遊技機。
【００４４】
手段１７によれば、主制御基板以外では検査等が不要であるため、一旦封印すると一切封印解除ができないようにすることで、媒体の不正な払出等の不正を完全に防ぐことができる。この場合の封印手段としては、被包手段を完全に一体化するための接着手段や、制御基板の周りを樹脂等で覆ってしまうような被包手段と封印手段とを融合したものが挙げられる。
【００４５】
手段１８．手段２乃至手段１７のいずれかにおいて、前記払出手段は、仮想的に媒体を払出すものであり、その仮想的な払出に応じた分だけ遊技を更に続行可能な状態とすることを特徴とする遊技機。
【００４６】
手段１８によれば、遊技媒体（貸出媒体や景品媒体）を直接遊技者に付与するものではなく仮想的に払い出す所謂封入タイプの遊技機においては、遊技媒体を例えば記憶して表示することによって遊技者は直接遊技媒体を手に取ることなく遊技を進行することができる。なお、この場合、貸出媒体をメダルやカードを介して投資すると、それが記憶され表示される。また、遊技続行に伴って景品媒体が仮想的に払い出される場合には記憶内容が書き換えられて表示される。従って、仮想的な媒体とは、実際にはデータであることが殆どである。
【００４７】
手段１９．手段１乃至手段１８のいずれかにおいて、前記各制御基板は、遊技機本体の裏側又は内部に設けられており、遊技機前面側に対し非露出状態とされていることを特徴とする遊技機。
【００４８】
手段１９によれば、基本的に遊技機の前面側に各制御基板が露出しないことから、制御基板に対して即座に不正が実行される不都合を回避することができる利点がある。なお、例えばボックス型のスロットマシンや封入式パチンコ機等では各制御基板は遊技機内部に設けることができ、枠型のパチンコ機等では各制御基板は遊技機本体の裏側に設けることができる。
【００４９】
手段２０．手段１乃至１９のいずれかにおいて、遊技機は弾球遊技機であること。中でも、弾球遊技機の基本構成としては、操作ハンドルを備えていてそのハンドル操作に応じて遊技球を所定の遊技領域に発射させ、遊技球が遊技領域内の所定の位置に配置された作動口に入賞することを必要条件として可変表示装置において変動表示されている識別情報が所定時間後に確定停止されることが挙げられる。また、特別遊技状態発生時には遊技領域内の所定の位置に配置された可変入賞装置が所定の態様で開放されて遊技球を入賞可能とし、その入賞個数に応じた有価価値（景品球のみならず、磁気カードへの書き込み等も含む）が付与されることが挙げられる。
【００５０】
手段２１．手段１乃至１９のいずれかにおいて、遊技機は回胴式遊技機であること。ここで、回胴式遊技機の構成としては、「複数の識別情報からなる識別情報列（具体的にはリールであり、識別情報はリールに付されたシンボルである）を変動表示（具体的にはリールの回動である）した後に識別情報を確定表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段を備えた回胴式遊技機」となる。なお、回胴式遊技機にあっては、遊技媒体等の媒体は、例えばメダルである。
【００５１】
手段２２．手段１乃至１９のいずれかにおいて、遊技機はパチンコ機とスロットマシンとを融合させた遊技機であること。中でも、前記融合させた遊技機の基本構成としては、「複数の識別情報からなる識別情報列（具体的にはリールであり、識別情報はリールに付されたシンボルである）を変動表示（具体的にはリールの回動である）した後に識別情報を確定表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段とを備え、遊技媒体として遊技球を使用するとともに、前記識別情報の変動開始に際しては所定数の遊技球を必要とし、特別遊技状態の発生に際しては多くの遊技球が払い出されるよう構成されてなる遊技機」となる。なお、かかる遊技機にあっては、被包部材は遊技機本体を画定する本体ボックスを備えたものであればその本体ボックス内に収容され、本体ボックスを有しないものであれば遊技機背面側に配設される。
【００５２】
以下に、遊技機の一種である弾球遊技機、特にパチンコ遊技機（以下、単に「パチンコ機」という）に適用した一実施の形態について、図面を参照しつつ説明する。
【００５３】
図１に示すように、パチンコ機の外形を構成する外枠１には前枠２が一側の回動軸を中心に回動可能に装着されている。同図では前枠２は閉じた状態にある。前枠２には、遊技盤３（図２参照）、遊技盤３の前方に設けられガラス板４ａを有してなるガラス扉枠４、上皿５、下皿６、ハンドル７等が装着されている。上皿５の側方であって、前枠２の内部にはスピーカ８が埋設されている。スピーカ８は、遊技の進行に伴い種々の効果音を鳴らしたり、遊技者に遊技状態を音声にて報知する。前記遊技盤３の後部には機構盤が配設されている。
【００５４】
パチンコ機の正面左側にはカード挿入口９ａが形成されたカードサンド９が付設されている。パチンコ機の正面側、例えば上皿５には貸玉スイッチ１０ａ、返却スイッチ１０ｂ及び残額表示器１０ｃを備えたカード関連ユニット１０が設けられている。貸球スイッチ１０ａはカードに記録された情報に基づいて貸出球を得るために操作されるものであり、カードに残額が存在する限りにおいて貸出球が上皿５に供給される。返却スイッチ１０ｂはカードサンド９に挿入されたカードの返却を求める場合に操作される。残額表示器１０ｃはカードの残額情報を表示するものである。
【００５５】
次に、遊技盤３の遊技面上の構成について説明する。図２に示すように、遊技盤３には誘導レール等によって略円形の遊技領域が形成されている。遊技盤３の遊技領域内には、作動口ユニット１１及び大入賞口ユニット１２が設けられている。
【００５６】
作動口ユニット１１は、遊技媒体としての遊技球Ｂが入賞したり通過する作動口１１ａ及び作動ゲート１１ｂを備えており、その作動口１１ａの入口には羽根１３が開閉可能に支持されている。
【００５７】
大入賞口ユニット１２は、大入賞口１２ａ及び開閉手段としてのシャッタ１４を備えている。シャッタ１４は、大入賞口１２ａの側部に設けられた図示しない大入賞口用ソレノイドにより作動し、大入賞口１２ａを開閉する。詳しくは、当該ソレノイドが励磁状態となることにより、シャッタ１４が略水平に傾き、これにより大入賞口１２ａが開かれる。また、ソレノイドが非励磁状態となることにより、シャッタ１４が略垂直状態となり、これにより大入賞口１２ａは閉鎖される。
【００５８】
遊技盤３の遊技領域内の周辺部分には、一般入賞口ユニット１５，１６，１７，１８が設けられている。一般入賞口ユニット１５〜１８は、一般入賞口１５ａ，１６ａ，１７ａ，１８ａを備えている。
【００５９】
大入賞口ユニット１２の上方となる遊技盤３の遊技領域中央部分には、可変表示手段としての特別図柄表示装置（以下、単に「表示装置」という）１９が組込まれている。表示装置１９は、表示領域として液晶ディスプレイ（ＬＣＤ）よりなる表示部１９ａを備えており、ここに複数、例えば３つの識別情報列たる図柄列が表示される。図柄列は、基本的には、複数種類の識別情報たる図柄によって構成されている。これらの図柄は、確定時（停止時）における組合せによって特別遊技図柄としての大当たり図柄、外れリーチ図柄及び外れ図柄のいずれかになり得る。
【００６０】
表示装置１９の表示部１９ａでは、遊技球Ｂの作動口１１ａへの入賞に基づいて、各図柄列の可変表示たる図柄変動、例えばスクロール変動が開始される。また、大当たり図柄、外れリーチ図柄、外れ図柄の中から１つが選択され、これが確定図柄として設定される。確定図柄とは、各図柄列が図柄変動を停止したときに表示される図柄である。
【００６１】
大当たり図柄は、いわゆるリーチ状態を経た後、遊技者に有利な大当たり状態を発生させるための図柄である。詳しくは、全ての図柄列の変動が停止したときに表示されている図柄の組合せが、予め定められた大当たりの組合せ、すなわち同一種類の図柄が大当たりラインに沿って並んでいるときの同図柄の組合せ（例えば、「７」、「７」、「７」の図柄）となる場合がある。この組合せを構成する図柄が「大当たり図柄」である。大当たりの組合せが成立すると、遊技者にとって有利な特別遊技状態たる大当たり状態となる。この場合、大入賞口１２ａが開かれ、遊技者はより多くの景品媒体たる景品球を獲得することが可能となる。
【００６２】
表示装置１９において、表示部１９ａの上方には、発光ダイオード（ＬＥＤ）からなる保留ランプ２１ａ，２１ｂ，２１ｃ，２１ｄが組み込まれている。保留ランプ２１ａ〜２１ｄは、基本的には作動口１１ａへの入賞に基づく変動表示の保留毎に点灯し、その保留に対応した変動表示の実行に伴い消灯する。
【００６３】
表示装置１９の上部には、普通図柄表示部としてのＬＥＤよりなる７セグ表示部２２が設けられている。表示装置２２の左右両側方には一対の通過ゲート２３ａ，２４ａを備えた通過ゲートユニット２３，２４が配設されている。同通過ゲート２３ａ，２４ａを遊技球Ｂが通過することに基づいて、前記７セグ表示部２２が作動する。本実施の形態では、７セグ表示部２２は、「０」から「９」までの数字を可変表示する。そして、その数字が所定値（本実施の形態では「７」）で停止することに基づいて、作動口ユニット１１の羽根１３が所定秒数開放するようになっている。この開放により、作動口１１ａへの入賞が比較的容易なものとなる。７セグ表示部２２の周辺近傍においては、遊技球Ｂの通過ゲート２３ａ，２４ａの通過回数が４回まで記憶表示され、図示しない４つの保留ランプでその保留数が表示される。
【００６４】
なお、遊技盤３の複数箇所には、遊技効果を高めたり、遊技状況を遊技者に示唆するための各種ランプ等の他の役物が取付けられている（ランプ風車、コーナー飾り等）。
【００６５】
本実施の形態では、遊技者の操作に応じて変化するパチンコ機の遊技状態を検出するべく、遊技盤３には、遊技球Ｂの入賞を検出するための種々の検出スイッチが取付けられている。より詳しくは、作動ゲート１１ｂには作動ゲート用スイッチ３１が、作動口１１ａ近傍には作動口用スイッチ３２が、それぞれ設けられており、その他必要に応じて後述する多数の検出スイッチが取り付けられている。本実施の形態では、作動口用スイッチ３２にて遊技球Ｂの入賞が検出された場合、遊技者に対し、１入賞あたり５個の景品球が払い出されるようになっている。
【００６６】
大入賞口１２ａ近傍には、２つの大入賞口用スイッチ３３，３４が設けられている。シャッタ１４の内側面には、逆ハの字状をなす図示しない案内レールが一体形成されており、該案内レールにより、大入賞口１２ａに入賞した入賞球は円滑に、かつ、速やかにいずれかの大入賞口用スイッチ３３，３４を通過しうる。本実施の形態では、大入賞口用スイッチ３３，３４にて遊技球Ｂの入賞が検出された場合、遊技者に対し、１入賞あたり１５個の景品球が払い出されるようになっている。さらに、一般入賞口１５ａ〜１８ａ近傍には、一般入賞口用スイッチ３５，３６，３７，３８が設けられている。本実施の形態では、一般入賞口用スイッチ３５〜３８にて遊技球Ｂの入賞が検出された場合、遊技者に対し、１入賞あたり１０個の景品球が払い出されるようになっている。なお、上記景品球の払い出し数（「５個」又は「１０個」又は「１５個」）に関する数値はあくまでも例示であって、上記数値に何ら限定されるものではない。従って、例えば「６個」「７個」「１１個」「１２個」「１３個」「１４個」「１６個」或いはそれ以上（例えば「２５個」）等の数値を採用しても何ら差し支えない。併せて、通過ゲート２３，２４には、通過ゲート用スイッチ３９，４０が設けられている。
【００６７】
そして、これらスイッチ３１〜４０により、遊技球Ｂの作動ゲート１１ｂの通過や作動口１１ａへの入賞、大入賞口１２ａへの入賞、或いは一般入賞口１５ａ〜１８ａへの入賞や、通過ゲート２３ａ，２４ａの通過等が検出される。
【００６８】
本実施の形態では、上記各スイッチ３１〜４０の検出結果に基づき、各種ソレノイドや、表示装置１９、各保留ランプ２１ａ〜２１ｄ、各種ランプ、スピーカ８、パルスモータ等の各種外部装置をそれぞれ駆動制御するために制御装置５０が設けられている。制御装置５０は、図３に示すように、主基板（制御基板、遊技制御基板を構成する）５１、払出制御基板５２、図柄表示装置制御基板５３、音声制御基板５４、ランプ制御基板５５及び発射制御基板５６等の各種制御基板を備えており、特に主基板５１及び払出制御基板５２は例えば透明樹脂等よりなる被包部材を構成する基板ボックス１４０Ａ，１４０Ｂ内に収容されている。なお、各基板５１〜５６の取り付け位置としては、少なくともパチンコ機の正面側に露出しないように配設されていればよく、入賞球集合カバー、遊技盤３裏面、機構盤、前面枠等の枠体、又は専用の支持部材等のいずれに取り付けてもよいが、本実施の形態では他の各種機器との関連性から合理的な位置に取り付けられている。
【００６９】
前記遊技盤３の背面側に設けられた機構盤の上部には、主たる電源（電源電圧）が供給される電源スイッチ基板６１が設けられているとともに、機構盤の下部には、前記電源スイッチ基板６１からの電源を適宜供給するための電源分配基板６２が設けられている。前記主基板５１の基板ボックス１４０Ａは、機構盤の後部において、前記表示装置１９の背面側に設けられた図柄表示装置制御基板５３の下方に設けられている。図３に示すように、機構盤には、表示装置１９を覆うようにして樹脂製の保護部材としての保護カバー６３が装着されており、これにより、上部のタンク６４等から落下してくる遊技球Ｂ等から表示装置１９及び図柄表示装置制御基板５３が保護されるようになっている。そして、主基板５１の基板ボックス１４０Ａの大部分は、前記保護カバー６３からはみ出すようにして横長に配置されている。
【００７０】
払出制御基板５２は、前記主基板５１の側方に設けられている。当該主基板５１及び払出制御基板５２には、前記電源分配基板６２からの分配された電源電圧がそれぞれ印加される。また、図柄表示装置制御基板５３、音声制御基板５４及びランプ制御基板５５には、主基板５１からの電源電圧がそれぞれ供給される。さらに、発射制御基板５６には、前記払出制御基板５２からの電源電圧が供給されるようになっている。タンク６４から上皿５に至る球払出通路の中途位置には球払出装置６５，６６（景品球払出装置６５と貸出球払出装置６６）が設けられており、球払出装置６５，６６は払出制御基板５２からの出力信号に基づいて駆動制御されるようになっている。景品球払出装置６５及び貸出球払出装置６６は景品球又は貸出球を払出すために駆動される駆動モータを備えており、該モータの駆動に基づいて１個ずつの球払出処理が行われる。なお、パチンコ機には情報端子が設けられており、該情報端子からホールコンピュータや外部のカウント表示装置等へ当該パチンコ機における各種遊技情報（例えば本日の大当たり回数、図柄の変動回数、出玉に関する情報等）が出力されるようになっている。
【００７１】
上記払出制御基板５２について更に説明すると、図４に示すように、払出制御基板５２には、景品球払出のための処理を行うべくＣＰＵ、ＲＯＭ、ＲＡＭその他の電子部品が組み込まれた景品球払出処理回路部７１と、貸出球払出のための処理を行うべくＣＰＵ、ＲＯＭ、ＲＡＭその他の電子部品が組み込まれた貸出球払出処理回路部７２とが実装されている。
【００７２】
景品球払出処理回路部７１は主基板５１と接続されていて、主基板５１からは前記各スイッチ検出に基づく景品球の払出指令が景品球払出処理回路部７１に送信され、景品球払出処理回路部７１はその払出指令に応じた景品球の払出を行うべく景品球払出装置６５を駆動制御するとともに景品球払出数等の検出データを主基板５１に送信する。なお、かかる検出データは景品球払出装置６５に内蔵された検出スイッチからの信号に基づいて生成される。従って、主基板５１は景品球払出については不正がないかどうかのチェックを行うことができる。
【００７３】
一方、貸出球払出処理回路部７２は主基板５１の統括下におかれることなく、独自に制御を実行する。即ち、貸出球払出処理回路部７２はカードサンド９、貸出球払出装置６６及びカード関連ユニット１０と接続されており、カードサンド９のカード挿入口９ａにカードが挿入されたときのカードに関わる情報の受信、カード関連ユニット１０の操作に基づくカードに書き込むべき情報の送信、同じくカード関連ユニット１０の操作に基づく貸出球払出装置６６の駆動制御、カード情報に基づく残額表示器１０ｃの表示制御、貸出球払出装置６６からの貸出球払出情報のチェック等、を行う。従って、主基板５１はカードに基づく貸出球の払出に関しては何ら関与していない。このように構成しておけば、例えばカードを利用しない形式のパチンコ機とすることが主基板５１等を改変することなく実現でき、カードの利用有無によるパチンコ機の形態変更に関する互換性に優れたものとなる。
【００７４】
以上より、主基板５１は従来より被包手段としての基板ボックス１４０Ａの封印処理によって不正の防止や不正発見の容易性を担保していたが、払出制御基板５２、特に貸出球払出処理回路部７２についても被包手段としての基板ボックス１４０Ｂを設け、かつそれをも封印処理することで主基板５１の不正チェック等を行わずして不正の防止や不正発見の容易性を担保しようとするのが、本実施の形態の中心的部分である。
【００７５】
即ち、本実施の形態では、図４に示すように、主基板５１及び払出制御基板５２の双方について基板ボックス１４０Ａ，１４０Ｂを設けてこれを封印することとしている。
【００７６】
そこで、かかる基板ボックス１４０Ａ，１４０Ｂの具体的構成及びその封印関連構成について、図５乃至図１１に基づいて以下に説明する。なお、本実施の形態では、主基板５１の基板ボックス１４０Ａと、払出制御基板５２の基板ボックス１４０Ｂとではボックス構成及び封印関連構成において基本的に差異を設けていないので、基板ボックス１４０Ａ，１４０Ｂを基板ボックス１４０として両方のものを同様に取り扱って説明する。また、主基板５１及び払出制御基板５２についても単に制御基板と称する。
【００７７】
被包手段を構成する基板ボックス１４０は、複数のボックス体の組合せによって箱状に構成し得るが、本実施形態では一対のボックス体からなる例として、第１ボックス体（第１被包部材）としてのボックス本体（ボックスベース）１４１と、そのボックス本体１４１に覆設される第２ボックス体（第２被包部材）としてのボックス蓋体（ボックスカバー）１４２とを備えている場合について説明する。
【００７８】
図５に示すように、ボックス本体１４１は、金属材料からなる箱状体に形成されており、その上方はボックス本体１４１内に制御基板を配設するために開放されている。また、ボックス本体１４１の側壁１４１ａには、後述する封印ユニット１０１のユニット部材１２０が取り付けられている。更に、ボックス本体１４１の内側壁には薄板状のガイド板１４３が設けられており、ボックス本体１４１にボックス蓋体４２を被せる場合、ボックス蓋体４２の位置ズレを防止して、容易に被せることができる。
【００７９】
ボックス蓋体１４２は、ボックス本体１４１と同様に、金属製の中空箱状体に形成されており、その側壁１４２ａには後述する封印ユニット１０１のユニット部材１３０が取り付けられている。ボックス蓋体１４２の上部壁面には、透明な合成樹脂から構成された覗き窓１４２ｄが設けられており、基板ボックス１４０内の制御基板上に設けられた制御用ＲＯＭ、ＣＰＵ等の型番号を容易に確認することができる。このため、制御用ＲＯＭを交換してパチンコ機の遊技内容や払出態様を変更する不正行為が行われた場合、これを容易に発見することができる。
【００８０】
また、ボックス蓋体１４２の上面には、基板ボックス１４０内に配設された制御基板を管理するため、図１０に示した封印解除情報付記手段としての基板管理番号シール１６１が貼付される。同図に示すように、未使用の基板管理番号シール１６１が、台紙１６２に計４枚貼付されている。この基板管理番号シール１６１をボックス蓋体１４２に貼付する場合には、台紙１６２から基板管理番号シール１６１を１枚ずつ剥がして貼り付ければ良い。この基板番号管理シール１６１は、特殊シールで構成されており、その表面には、基板管理番号１６１ａと、製造業者コード１６１ｂと、枠部１６１ｃと、検査履歴１６１ｄとが表示されている。基板管理番号１６１ａは、基板ボックス１４０に被包される制御基板のシリアル番号である。また、制御基板の製造業者は、枠部１６１ｃの色彩と製造業者コード１６１ｂとにより特定される。更に、この基板管理番号シール１６１は、制御基板の検査履歴書でもあり、検査履歴１６１ｄには、検査毎に「１」から「３」の欄に検査年月日（開封年月日）、検査者名（開封者名）および検査印等が記録される。
【００８１】
なお、基板管理番号シール１６１を構成する特殊シールは、剥がされると破損してしまう性質を有するものであるので、基板管理番号シール１６１が不正に剥がされた場合には、かかる不正行為を容易に発見することができる。
【００８２】
次に、図６および図７を参照して、封印手段としての封印ユニット１０１を構成する各部材について説明する。図６に示すように、封印ユニット１０１は、基板ボックス１４０を封印するための封印部材としての封印金具１１１と、その封印金具１１１が係止される第１封印部材としてのユニット部材１２０と、そのユニット部材１２０に対向してボックス蓋体１４２に配設されて封印金具１１１が係合される第２封印部材としてのユニット部材１３０とを備えている。
【００８３】
なお、図５に示すように、封印ユニット１０１は基板ボックス１４０の２箇所にそれぞれ配設されている。ここでは、封印ユニット１０１は基板ボックス１４０の相対向する側面に設けられており、特に基板ボックス１４０が直方体形状である場合には短辺側の側面に設けられる。
【００８４】
図６に示すように、連結保持部材としての封印金具１１１は、ユニット部材１２０，１３０における各封印部材１２１，１３１を連結するためのものであり、ステンレス鋼材等の金属材料で構成されており、正面視略Ｔ字形の略板状体に形成されている。この封印金具１１１は、封印部材１２１に挿設される板部１１１ａと、その板部１１１ａに一体形成されるとともに後述する封印部材１３１に係合される頭部１１１ｂとを備えている。より詳しくは、板部１１１ａは長方形状の板体となっており、頭部１１１ｂは板部１１１ａの短辺一端側に一体に且つ当該短辺よりも幅広に形成されている。そして、頭部１１１ｂは板部１１１ａの短辺に沿って延びる筒体となるように巻回されている。
【００８５】
図６に示すように、板部１１１ａの中間位置は、反頭部１１１ｂ側を残すようにしてチャンネル状（コ字状）に切欠かれている。この切欠きは横並びに一対施されている。これらの切欠きによって、頭部１１１ｂ側を自由端、反頭部１１１ａ側を固定端とした板片が板部１１１ａに一体形成されている。これら板片の自由端側を互い反対方向へ折り曲げることによって、板部１１１ａの板面表裏にそれぞれ係止部としての係止爪１１１ｃが形成されている。両係止爪１１１ｃの具体的な折り曲げ形状は、特に図７から明らかなように、固定端を基準として板部１１１ａから徐々に遠ざかりながら頭部１１１ｂ側へ傾斜し、傾斜部分Ｔの先端から自由端側までは板部１１１ａと略平行となる形状である。
【００８６】
両係止爪１１１ｃは、封印金具１１１の板部１１１ａが封印部材１３１の挿入孔１３１ｂへ挿入され押し込まれた場合、傾斜部分Ｔを介して板部１１１ａ側へと徐々に弾性変形するとともに、封印金具１１１の先端部が封印部材１２１の挿入孔１２１ｂ内へ挿入される。封印金具１１１を更に挿し込み続けると、両係止爪１１１ｃは、弾性的に復元して封印部材１３１の嵌合穴１３１ｃ内に係止され、封印部材１２１の嵌合部１２１ａと封印部材１３１の嵌合穴１３１ｃとにより形成された保持部Ｈに収納される（図７参照）。一方、封印金具１１１の頭部１１１ｂは、封印部材１３１の係合穴１３１ａの側壁面に当接するとともに、係合穴１３１ａ内に保持されている。その結果、封印金具１１１を封印部材１３１内に取り外し不可能な状態で保持することができる。
【００８７】
更に、保持部Ｈに両係止爪１１１ｃが保持された封印金具１１１を押し込むと、両係止爪１１１ｃは、板部１１１ａ側へ徐々に弾性変形し、封印部材１２１の挿入孔１２１ｂ内へ挿入され、その後、弾性的に復元して封印部材１２１の係止孔１２１ｃ内に係止される。よって、封印部材１２１，１３１は封印金具１１１により取り外し不可能な状態で連結される（図８参照）。また、封印金具１１１は、それを取り外そうとした際に両係止爪１１１ｃの自由端部が同等に係止孔１２１ｃ内上側面に当接するように形成されている。。
【００８８】
板部１１１ａの先端には、略半球状の凸部１１１ｄが設けられている。その結果、封印金具１１１の先端部分の曲げ剛性が強化されるとともに、封印金具１１１の先端部が凸部１１１ｄにより案内され、封印金具１１１の板部１１１ａの先端部分を後述する封印部材１２１，１３１の挿入孔１２１ｂ，１３１ｂに容易に挿入することができる。また、封印金具１１１の頭部１１１ｂは、封印部材１３１の係合穴１３１ａの側壁面に当接するとともに、係合穴１３１ａ内に保持されている。その結果、封印金具１１１を封印部材１３１内に取り外し不可能な状態で保持することができる。
【００８９】
図６に示すように、封印金具１１１の上端部には、その剛性を強化するために頭部１１１ｂが形成されている。この頭部１１１ｂは、中空状の略円柱体に形成されており、封印金具１１１を封印部材１２１，１３１の挿入孔１２１ｂ，１３１ｂに挿入する場合、かかる頭部１１１ｂを押下することにより容易に封印金具１１１を挿入することができる。図８に示すように、頭部１１１ｂの外径は、封印部材１３１の係合穴１３１ａの幅と比較して略等しく形成されており、係合穴１３１ａに係合可能となっている。よって、封印金具１１１の両係止爪１１１ｃが係止孔１２１ｃ内に係止され、その頭部１１１ｂが封印部材１３１の係合穴１３１ａに係合された場合、封印部材１２１，１３１は封印金具１１１により取り外し不可能な状態で連結される。その結果、基板ボックス１４０は開封不可能な状態にて封印される。
【００９０】
ユニット部材１２０は、基板ボックス１４０のボックス本体１４１に配設され基板ボックス１４０を封印するためのものであり、ポリカーボネート樹脂等の耐衝撃性を有する合成樹脂材料で形成されている。このユニット部材１２０は、封印金具１１１が挿設される複数の封印部材１２１と、ユニット部材１２０をボックス本体１４１に取り付けるための取付部材１２２と、各封印部材１２１と取付部材１２２とを互いに連結するための連結部材１２３と、各封印部材１２１のそれぞれを互いに連結する複数の連結部材１２４と、各封印部材１２１の側面及び底面を覆い隠す被覆部材１２５（図５参照）とを備えている。なお、各封印部材１２１はそれぞれ略同一に構成されているので、以下、同一の部分には同一の番号を付してその説明は省略する。また、図６においては、各ユニット部材１２０，１３０の構成をわかりやすく説明するため、便宜上、前記被覆部材１２５を省略している。
【００９１】
図７に示すように、封印部材１２１は略円柱状に形成されており、その一部には連結部材１２３が固着され取付部材１２２に連結されている。この封印部材１２１は、略等間隔で取付部材１２２に計４個連結されており、各封印部材１２１の上端部分には、嵌合部１２１ａが設けられている。嵌合部１２１ａは、略円柱状に形成されており、その上側部分の外径は下側部分の外径と比較して小さくなるようにテーパが施されている。よって、嵌合部１２１ａを後述する封印部材１３１の嵌合穴１３１ｃに容易に挿入して嵌合させることができる。嵌合部１２１ａの上面には、長穴状の挿入孔１２１ｂが凹設されており、封印金具１１１の板部１１１ａが挿入可能に形成されている。この挿入孔１２１ｂの開口部分には面取り部Ｃが形成されており、この面取り部Ｃにより封印金具１１１の板部１１１ａおよび両係止爪１１１ｃが容易に挿入される。
【００９２】
嵌合部１２１ａの壁面の一部から対向する壁面に向かって貫通するように、略矩形状の係止孔１２１ｃが設けられており（図６参照）、この係止孔１２１ｃは挿入孔１２１ｂと連通している（図７参照）。よって、挿入孔１２１ｂから封印金具１１１を挿入すると、封印金具１１１の両係止爪１１１ｃが封印部材１２１の係止孔１２１ｃにより係止され、封印金具１１１の抜き取り行為が防止される。また、嵌合部１２１ａの外周には、嵌合溝１２１ｄが凹設されており、封印部材１３１のスカート部１３１ｄが嵌合可能となっている。この嵌合溝１２１ｄの開口部分の断面積は底部分の断面積と比較して大きくなるようにテーパが施されており、スカート部１３１ｄを容易に嵌合させることができる。また、嵌合溝１２１ｄにスカート部１３１ｄを嵌合させることにより、封印部材１２１，１３１の位置ズレが防止され、封印部材１２１と封印部材１３１とを確実に合致させることができる。
【００９３】
取付部材１２２は、封印ユニット１０１のユニット部材１２０をボックス本体１４１に取り付けるためのものであり、対向して配設された一対の板状体１２２ａ，１２２ｂと、その一対の板状体１２２ａ，１２２ｂを互いに連結する複数の連結部材１２２ｃと、板状体１２２ｂに配設された補強部材１２２ｄとを備えている。各板状体１２２ａ，１２２ｂは複数の連結部材１２２ｃにより連結されており、この複数の連結部材１２２ｃは計４箇所に配設されている。この各連結部材１２２ｃは、板状体１２２ａの長手方向に略等間隔で配設された後述する複数の連結部材１２３に対応して配設されている。
【００９４】
よって、取付部材１２２のうち、連結部材１２３が固着されている部分の厚みは大きく形成され、その強度は強化されている。従って、連結部材１２３を切断して封印部材１２１を除去する場合、取付部材１２２の板状体１２２ａ，１２２ｂに損傷を与えることなく連結部材１２３を切断することができる。また、取付部材１２２における一対の板状体１２２ａ，１２２ｂの間には所定幅の間隙Ｗ１が形成されており、この一対の板状体１２２ａ，１２２ｂの間に形成された間隙Ｗ１は、ボックス本体１４１の側壁１４１ａの板厚より大きく形成されている。
【００９５】
図９に示すように、ボックス本体１４１の側壁１４１ａには、取付部材１２２の各連結部材１２２ｃに対応した略矩形状の係合溝１４１ｂが略等間隔で計４箇所に形成されている。この各係合溝１４１ｂには、各連結部材１２２ｃをそれぞれ係合させることができる。かかる係合により、ボックス本体１４１の側壁１４１ａはユニット部材１２０の取付部材１２２における板状体１２２ａ，１２２ｂの間に挟み込まれ、図５に示すように、ユニット部材１２０がボックス本体１４１に取り付けられる。その結果、板状体１２２ａ，１２２ｂの間に挟み込まれた側壁１４１ａ部分の剛性を向上させることができるとともに、ボックス本体１４１の側壁１４１ａに取り付けられたユニット部材１２０を外れ難くすることができる。
【００９６】
また、取付部材１２２の長手方向の両端部分には一対の取付孔１２２ｅが板状体１２２ａ，１２２ｂのそれぞれを貫通するように穿設されている（図６および図７参照）。ボックス本体１４１の側壁１４１ａには、この取付部材１２２の一対の取付孔１２２ｅに対応して、一対の係合穴１４１ｃが穿設されている（図９参照）。よって、ユニット部材１２０の板状体１２２ａ，１２２ｂの間にボックス本体１４１の側壁１４１ａを挟み込みつつ、ユニット部材１２０の取付部材１２２をボックス本体１４１の側壁１４１ａに「かしめ」またはネジ止めにより固定することができる（図５および図６参照）。
【００９７】
図７に示すように、取付部材１２２の板状体１２２ｂには、略矩形状の係止穴１２２ｆが穿設されている。この係止穴１２２ｆには、ボックス本体１４１の側壁１４１ａ内側面に突設された係止爪１４１ｅが係止されており、ユニット部材１２０をボックス本体１４１の側壁１４１ａに「仮止め」することができる。よって、ユニット部材１２０はボックス本体１４１に「仮止め」されているので、「かしめ」またはネジ止めによるユニット部材１２０の固定作業を容易に行うことができる。
【００９８】
補強部材１２２ｄは、封印ユニット１０１が配設された基板ボックス１４０の強度を補強するためのものであり、取付部材１２２の板状体１２２ｂにおける上部側面に一体に形成されている（図７中右側）。この補強部材１２２ｄは、後述するユニット部材１３０に形成された嵌合穴１３２ｄに嵌合可能な板状体で構成されており（図６参照）、かかる嵌合穴１３２ｄに嵌合することにより、ユニット部材１２０，１３０を互いに位置決めしつつ、封印ユニット１０１の配設された基板ボックス１４０の強度を補強することができる。
【００９９】
図６に示すように、連結部材１２３は、各封印部材１２１と取付部材１２２とをそれぞれ連結するためのものである。この連結部材１２３は、取付部材１２２の板状体１２２ａの一側面に略等間隔で計４個配設されており、各連結部材１２３には封印部材１２１がそれぞれ固着されている。よって、計４個の各封印部材１２１が略等間隔で隣接して取付部材１２２と連結され、ユニット部材１２０が一体に形成されている。また、これらの隣接する各封印部材１２１は、連結部材１２４により互いに連結されて、一体に形成されている。また、封印部材１２１および取付部材１２２は連結部材１２３により連結されるので、封印部材１２１と取付部材１２２との間には、ニッパ等の工具の刃先が入り込むための間隔が形成される。よって、封印部材１２１を切断して除去する場合、ニッパ等の工具を用いて連結部材１２３を容易に切断することができる。
【０１００】
連結部材１２４は、隣り合う各封印部材１２１を連結して、ユニット部材１２０の強度を補強するためのものであり、略薄板状に形成されている。各連結部材１２４は、各封印部材１２１の外周面のうち連結部材１２３の固着側の反対部分に固着されており、各封印部材１２１のそれぞれを互いに連結してユニット部材１２０の強度を補強している。この各連結部材１２４の右端部分には、切り欠き１２４ａが設けられており、かかる部分の剛性を低下させてある。よって、ニッパ等の工具を用いて連結部材１２４を切断する場合、切り欠き１２４ａが設けられた部分を切断することにより、容易に連結部材１２４を切断することができる。また、切り欠き１２４ａは、連結部材１２４のうち、先に使用される封印部材１２１側の端部分に設けられているので、連結部材１２４を切断する場合、未使用の封印部材１２１の損傷を防止することができる。
【０１０１】
被覆部材１２５は、封印部材１２１，１３１の外部より孔を開け、封印金具１１１を抜き取ったりするのを防ぎ、不正に基盤ボックス１４０を開封するのを防止するために設けられたものである。被覆部材１２５は、４つ並んだ封印部材１２１，１３１の両端部側面を被覆するように形成された側面被覆部１２５ａと、各封印部材１２１の底面部を被覆するように形成された底面被覆部１２５ｂと、各封印部材１２１，１３１の取付部材１２２，１３２とは反対側にあたる各封印部材１２１，１３１前面部を被覆するように形成された前面被覆部１２５ｃとで構成されている。側面被覆部１２５ａ、底面被覆部１２５ｂおよび前面被覆部１２５ｃはそれぞれ略板状体であるとともに、各板状体とも略平行に配設された複数枚、例えば３枚の板状体で構成されている。また、平行状態にある各板状体の間には所定の隙間が形成されている。なお、前記各被覆部１２５ａ〜１２５ｃはそれぞれポリカーボネート樹脂等の耐衝撃性を有する合成樹脂材料で形成されている。側面被覆部１２５ａは、その板状面が前記両端部側面を向くように、取付部材１２２の板状体１２２ａに固着されている。底面被覆部１２５ｂは、その板状面が各封印部材１２１の底面部を向くように、取付部材１２２の板状体１２２ａに固着されている。さらに、側面被覆部１２５ａと底面被覆部１２５ｂとは互いに交わる部分で固着されている。また、前面被覆部１２５ｃは、その板状面が各封印部材１２１，１３１前面部を向くように、側面被覆部１２５ａおよび底面被覆部１２５ｂにそれぞれ固着されている。側面被覆部１２５ａおよび前面被覆部１２５ｃの上端部は前記封印部材１３１の上端部と同等の高さに形成されている。なお、各封印部材１２１，１３１上面部は被覆部材１２５によって被覆されていない。つまり、被覆部材１２５は各封印部材１２１，１３１の上面部が被覆されないようにを上方に開口した状態で形成されている。
【０１０２】
ユニット部材１３０は、封印金具１１１とユニット部材１２０とを介して、基板ボックス１４０を封印するためのものである。ユニット部材１３０は、ポリカーボネート樹脂等の耐衝撃性を有する合成樹脂材料で形成されており、基板ボックス１４０のボックス蓋体１４２の側壁１４２ａに取り付けられている。このユニット部材１３０は、封印金具１１１が係合される封印部材１３１と、ユニット部材１３０をボックス蓋体１４２に取り付けるための取付部材１３２と、各封印部材１３１と取付部材１３２とを互いに連結するための連結部材１３３と、各封印部材１３１のそれぞれを互いに連結する複数の連結部材１３４とを備えている。なお、各封印部材１３１はそれぞれ略同一に構成されているので、以下、同一の部分には同一の番号を付してその説明は省略する。
【０１０３】
図６に示すように、封印部材１３１は、略円柱状に形成されており、その一部には連結部材１３３が固着され取付部材１３２に連結されている。この封印部材１３１は、略等間隔で取付部材１３２に計４個連結されており、各封印部材１３１はユニット部材１２０の各封印部材１２１のそれぞれと対向する位置に取付部材１３２と一体に形成されている（図５参照）。また、各封印部材１３１は、封印金具１１１の頭部１１１ｂと係合される係合穴１３１ａと、その係合穴１３１ａに連通して穿設された挿入孔１３１ｂと、その挿入孔１３１ｂに連通して穿設された嵌合穴１３１ｃと、その嵌合穴１３１ｃの下方に設けられたスカート部１３１ｄとを備えている。
【０１０４】
封印部材１３１の上面には、長穴状の係合穴１３１ａが形成されており、封印金具１１１の頭部１１１ｂが嵌合可能になっている。また、図７に示すように、係合穴１３１ａの下方には挿入孔１３１ｂが設けられている。この挿入孔１３１ｂの幅は封印金具１１１の頭部１１１ｂの外径と比較して小さく形成されているので、封印金具１１１の頭部１１１ｂは、挿入孔１３１ｂを通り抜けることができない。よって、封印金具１１１の頭部１１１ｂは、係合穴１３１ａ内に確実に係合される。
【０１０５】
嵌合穴１３１ｃは、挿入孔１３１ｂの下方に連通して設けられており、封印部材１２０の嵌合部１２１ａが嵌合可能になっている。この嵌合穴１３１ｃにはテーパが施されており、封印部材１２１の嵌合部１２１ａを容易に挿入して嵌合することができる。また、嵌合穴１３１ｃの上壁面と封印部材１２１の嵌合部１２１ａの上端面との間には、所定高さを有する保持部Ｈが形成されており、封印金具１１１の両係止爪１１１ｃが嵌合部１２１ａの上端面により支持され保持されている。また、封印金具１１１の両係止爪１１１ｃが保持部Ｈに保持されると、封印金具１１１の頭部１１１ｂは、係合穴１３１ａ内に埋め込まれ、封印部材１３１の上面から突出することがない。よって、頭部１１１ｂを掴んで封印金具１１１を抜き取る不正行為や頭部１１１ｂが何かに引っ掛かり封印金具１１１が抜け落ちてしまうことを防止することができる。その結果、予備用（未使用）の封印金具１１１は、封印部材１２１と封印部材１３１とを連結することなく、封印部材１３１内に抜き取り不可能な状態で保持することができる。
【０１０６】
スカート部１３１ｄは、封印部材１３１の下端面であって、嵌合穴１３１ｃの縁部分に周設されている。このスカート部１３１ｄは、封印部材１２１の嵌合溝１２１ｄに嵌合可能に形成されており、その外周壁にはテーパが施されている。よって、スカート部１３１ｄを嵌合溝１２１ｄへ容易に嵌合させることができる。
【０１０７】
取付部材１３２は、封印ユニット１０１のユニット部材１３０をボックス蓋体１４２に取り付けるためのものであり、対向して配設された一対の板状体１３２ａ，１３２ｂと、その一対の板状体１３２ａ，１３２ｂを互いに連結する複数の連結部材１３２ｃと、板状体１３２ｂに配設された嵌合穴１３２ｄとを備えている。各板状体１３２ａ，１３２ｂは複数の連結部材１３２ｃにより連結されており、この複数の連結部材１３２ｃは計４箇所に配設されている。この各連結部材１３２ｃは、板状体１３２ａの長手方向に略等間隔で配設された後述する複数の連結部材１３３に対応して配設されている。
【０１０８】
よって、取付部材１３２のうち、連結部材１３３が固着されている部分の厚みは大きく形成され、その強度が強化されている。従って、連結部材１３３を切断して封印部材１３１を除去する場合、取付部材１３２の板状体１３２ａに損傷を与えることがない。また、取付部材１３２における一対の板状体１３２ａ，１３２ｂの間には所定幅の間隙Ｗ２が形成されており、この一対の板状体１３２ａ，１３２ｂの間に形成された間隙Ｗ２は、ボックス蓋体１４２の側壁１４２ａの板厚より大きく形成されている。
【０１０９】
図９に示すように、ボックス蓋体１４２の側壁１４２ａには、取付部材１３２の各連結部材１３２ｃに対応した略矩形状の係合溝１４２ｂが略等間隔で計４箇所に形成されており、この各係合溝１４２ｂは、ボックス本体１４１に形成された各係合溝１４１ｂに対向して側壁１４２ａに形成されている。この係合溝１４２ｂには、取付部材１３２の各連結部材１３２ｃをそれぞれ係合させることができる。各係合溝１４２ｂに各連結部材１３２ｃを係合すると、ボックス蓋体１４２の側壁１４２ａは、ユニット部材１３０の取付部材１３２における板状体１３２ａ，１３２ｂの間に挟み込まれ、図５に示すように、ユニット部材１３０がボックス蓋体１４２に取り付けられる。その結果、板状体１３２ａ，１３２ｂの間に挟み込まれた側壁１４２ａ部分の剛性を向上させることができるとともに、ボックス蓋体１４２の側壁１４２ａに取り付けられたユニット部材１３０を外れ難くすることができる。
【０１１０】
また、取付部材１３２の長手方向の両端部分には、一対の取付孔１３２ｅが板状体１３２ａ，１３２ｂのそれぞれを貫通して穿設ている（図６および図７参照）。ボックス蓋体１４２の側壁１４２ａには、この取付部材１３２の一対の取付孔１３２ｅに対応して、一対の係合穴１４２ｃが穿設されている（図９参照）。よって、ユニット部材１３０の板状体１３２ａ，１３２ｂの間にボックス蓋体１４２の側壁１４２ａを挟み込みつつ、取付部材１３２をボックス蓋体１４２の側壁１４２ａに「かしめ」またはネジ止めにより固定することができる（図５および図６参照）。
【０１１１】
図７に示すように、取付部材１３２の板状体１３２ｂには、略矩形状の係止穴１３２ｆが穿設されている。この係止穴１３２ｆには、ボックス蓋体１４２の側壁１４２ａ内側面に突設された係止爪１４２ｅが係止されており、ユニット部材１３０をボックス蓋体１４２の側壁１４２ａに「仮止め」することができる。よって、ユニット部材１３０はボックス蓋体１４２に「仮止め」されているので、「かしめ」またはネジ止めによるユニット部材１３０の固定作業を容易に行うことができる。
【０１１２】
なお、ボックス本体１４１とユニット１２０およびボックス蓋体１４２とユニット１３０は、それぞれ合成樹脂材料を使用して一体成形しても良い。
【０１１３】
嵌合穴１３２ｄは、ユニット部材１２０の補強部材１２２ｄを嵌合しつつ、封印ユニット１０１が配設された基板ボックス１４０の強度を補強するためのものである。この嵌合穴１３２ｄは、ユニット部材１２０の補強部材１２２ｄが嵌合可能に穿設された上面視略矩形状の貫通穴であり（図６参照）、取付部材１３２の板状体１３２ｂにおける上部側面に突設されている（図８中右側）。この嵌合穴１３２ｄに補強部材１２２ｄを嵌合することにより、封印ユニット１０１、及び、その封印ユニット１０１が配設された基板ボックス１４０の剛性を大きくすることができる。
【０１１４】
図６に示すように、連結部材１３３は、各封印部材１３１と取付部材１３２とをそれぞれ連結するためのものである。この連結部材１３３は、取付部材１３２の板状体１３２ａの一側面に略等間隔で計４個配設されており、各連結部材１３３には封印部材１３１がそれぞれ固着されている。よって、計４個の各封印部材１３１が略等間隔で隣接して取付部材１３２に連結され、ユニット部材１３０が一体に形成されている。また、封印部材１３１および取付部材１３２は連結部材１３３により連結されるので、封印部材１３１と取付部材１３２との間には、ニッパ等の工具の刃先が入り込むための間隔が形成される。よって、封印部材１３１を切断して除去する場合、ニッパ等の工具を用いて連結部材１３３を容易に切断することができる。
【０１１５】
連結部材１３４は、隣り合う各封印部材１３１を連結して、ユニット部材１３０の強度を補強するためのものであり、略薄板状に形成されている。各連結部材１３４は、各封印部材１３１の外周面のうち連結部材１３３の固着側の反対部分に固着されており、各封印部材１３１のそれぞれを互いに連結してユニット部材１３０の強度を補強している。この各連結部材１３４の右端部分には、切り欠き１３４ａが設けられており、かかる部分の剛性を低下させてある。よって、ニッパ等の工具を用いて連結部材１３４を切断する場合、切り欠き１３４ａが設けられた部分を切断することにより、容易に連結部材１３４を切断することができる。また、切り欠き１３４ａは、連結部材１３４のうち、先に使用される封印部材１３１側の端部分に設けられているので、連結部材１３４を切断する場合、未使用の封印部材１３１の損傷を防止することができる。
【０１１６】
この各連結部材１３４の上面には、「１」から「４」までの番号表示Ｋがそれぞれ表示されている。この各番号表示Ｋは、ユニット部材１３０の成形と同時に型枠を用いて形成されており、各一対の封印部材１２１，１３１が封印される順番を表している。よって、各封印部材１２１とそれに対向する各封印部材１３１とを「１」から「４」の各番号表示Ｋの順に封印金具１１１を用いて封印するとともに、「１」から「４」の番号表示Ｋの順に封印された一対の封印部材１２１，１３１をニッパ等の工具を用いて切断して除去することができる。
【０１１７】
なお、この各番号表示Ｋを付す方法としては、「１」から「４」の数字を印刷した合成樹脂等のシート等を各封印部材１２１に貼付等したりしても良い。
【０１１８】
次に、上述した基板ボックス１４０に取り付けられた封印ユニット１０１の使用方法について説明する。まず、ユニット部材１２０の各連結部材１２２ｃをボックス本体１４１の各係合溝１４１ｂに対応させて係合し、取付部材１２２の一対の板状体１２２ａ，１２２ｂの間にボックス本体１４１の側壁１４１ａを挟み込むようにして、取付部材１２２を側壁１４１ａに填め込む。その後、取付部材１２２の板状体１２２ｂに設けられた係止穴１２２ｆがボックス本体１４１の係止爪１４１ｅにより係止されるまで填め込み、ユニット部材１２０をボックス本体１４１に「仮止め」して、取付孔１２２ｅおよび係合穴１４１ｃを「かしめ」またはネジ止めにより固定する。
【０１１９】
また、同様に、ボックス蓋体１４２の各係合溝１４２ｂにユニット部材１３０の各連結部材１３２ｃを対応させて係合し、取付部材１３２の一対の板状体１３２ａ，１３２ｂの間にボックス蓋体１４２の側壁１４２ａを挟み込むようにして、取付部材１３２を側壁１４２ａに填め込む。その後、取付部材１３２の板状体１３２ｂに設けられた係止穴１３２ｆがボックス蓋体１４２の係止爪１４２ｅにより係止されるまで填め込み、ユニット部材１３０をボックス蓋体１４２に「仮止め」して、取付孔１３２ｅおよび係合穴１４２ｃを「かしめ」またはネジ止めにより固定する。
【０１２０】
このようにして、ユニット部材１２０，１３０をそれぞれ２個ずつボックス本体１４１およびボックス蓋体１４２に固定する。
【０１２１】
その後、ボックス本体１４１内に制御基板を配設して固定した後、ユニット部材１２０，１３０の各封印部材１２１，１３１を対向させて、ボックス本体１４１にボックス蓋体１４２を被せ、各封印部材１２１の嵌合部１２１ａを各封印部材１３１の嵌合穴１３１ｃに嵌合するとともに、各封印部材１３１のスカート部１３１ｄを各封印部材１２１の嵌合溝１２１ｄに嵌合する。そして、計４個の各封印部材１３１の係合穴１３１ａおよび挿入孔１３１ｂ内に封印金具１１１をそれぞれ挿入して、その頭部１１１ｂを押下し封印金具１１１を封印部材１３１内に押し込む。
【０１２２】
封印金具１１１が押し込まれると、封印金具１１１の両係止爪１１１ｃは、傾斜部分Ｔを介して板部１１１ａ側へ徐々に弾性変形する。更に、封印金具１１１を挿入し続けると、両係止爪１１１ｃが弾性的に復元し、その両係止爪１１１ｃは、嵌合穴１３１ｃ内に係止されるとともに保持部Ｈに保持される。よって、各封印金具１１１を封印部材１３１内に抜き取り不可能な状態で保持することができるとともに、封印金具１１１の紛失を防止することができる（図７参照）。
【０１２３】
各封印部材１３１内に各封印金具１１１を保持した後、各封印ユニット１０１の封印部材１３１うち、「１」の番号表示Ｋの付された連結部材１２４の左端部が固着されているもの（図５中右側）に挿入された封印金具１１１の頭部１１１ｂを押下して、その封印金具１１１を更に押し込む。封印金具１１１が押し込まれると、封印金具１１１の両係止爪１１１ｃは、傾斜部分Ｔおよび挿入孔１２１ｂの面取り部Ｃを介して板部１１１ａ側へ徐々に弾性変形する。封印金具１１１を挿入し続けると、両係止爪１１１ｃが弾性的に復元して、両係止爪１１１ｃが封印部材１２１の係止孔１２１ｃ内に係止され、封印金具１１１が封印部材１２１内にて抜き取り不可能な状態で保持される。一方、封印金具１１１の頭部１１１ｂは、封印部材１３１の係合穴１３１ａ内に係合される。
【０１２４】
その結果、封印金具１１１は、封印部材１２１内から抜き取り不可能となり、更に、封印金具１１１の頭部１１１ｂは、封印部材１３１の係合穴１３１ａに係合されているので、基板ボックス１４０のボックス本体１４１とボックス蓋体１４２とが開封不可能に連結され、基板ボックス１４０を確実に封印することができる（図８参照）。
【０１２５】
また、封印部材１２１，１３１の側面又は底面から孔を開けて封印金具１１１の両係止爪１１１ｃを弾性変形させ、封印金具１１１を抜き取る等の不正行為を行おうとした場合、被覆部材１２５が封印部材１２１，１３１の周囲に設けられているため、被覆部材１２５の表面上から孔を開けなければならなくなり、孔を開けた痕跡がより発見し易くなる。又、封印金具１１１までの間に複数の壁が存在することやその壁によって被覆部材１２５の表面上から封印金具１１１まで距離が長くなることで、棒状のものを封印金具１１１の位置まで差し込んで、両係止爪１１１ｃを弾性変形させるには、その力を加えるための支点が定まりにくく、上記不正行為を行い難くなる。
【０１２６】
さらに、本実施の形態における封印金具１１１には、その両側面に１個ずつ両係止爪１１１ｃが形成されている。このため、封印金具１１１を抜き取るには、両側面の両係止爪１１１ｃを同時に押さえつけなければない。しかし、上記被覆部材１２５の表面上から両係止爪１１１ｃを同時に押さえつけるのは、非常に困難となる。その結果、上記不正行為をさらに行い難くなる。
【０１２７】
よって、基板ボックス１４０に被包された制御基板上の制御用ＲＯＭ等を不適法に取り外して、パチンコ機の遊技内容を変更する不正行為を防止することができる。また、封印部材１２１，１３１を破壊、切断等すれば基板ボックス１４０を開封することができるが、その場合には、基板ボックス１４０が開封された痕跡を確実に残すことができる。即ち、不正行為が行われたか否かを即座に発見することができる。
【０１２８】
基板ボックス１４０を開封する場合には、少なくとも、連結部材１３３および「２」の番号表示Ｋが付された連結部材１３４をニッパ等により切断するか、又は、連結部材１２３および連結部材１２４をニッパ等により切断する必要がある。即ち、少なくとも連結部材１２３，１２４または連結部材１３３，１３４をそれぞれ切断しなければ、基板ボックス１４０を開封することができない。よって、不正行為を行った者が、基板ボックス１４０を開封して制御基板に不正改造等の不正行為を行った後、その不正行為を隠蔽する場合には、連結部材１２３，１２４または連結部材１３３，１３４の各切断部分のそれぞれに接着剤等を塗布し、かかる複数の切断部分をそれぞれ再接合する必要がある。また、複数の切断部分を再接合して、切断の痕跡を隠蔽することは容易ではない。従って、不正行為の隠蔽を確実に行うことができないので、不正行為が早期に発見されるとともに、かかる不正行為を抑制することができる。
【０１２９】
次に、この封印状態にある基板ボックス１４０から制御回路基板上の制御用ＲＯＭを取り外して検査する方法について説明する。封印金具１１１の頭部１１１ｂは封印部材１３１の係合穴１３１ａに係合され、封印金具１１１の両係止爪１１１ｃは封印部材１２１の係止孔１２１ｃ内に抜き取り不可能な状態で保持されているので、基板ボックス１４０内の制御回路基板を適法に検査する場合、ボックス本体１４１からボックス蓋体１４２を外して、基板ボックス１４０を開封することができない。かかる場合、封印金具１１１により封印されている封印部材１２１，１３１と取付部材１２２，１３２とを連結している連結部材１２３，１３３をニッパ等の工具を用いて切断するとともに、封印されている封印部材１２１，１３１と他の封印部材１２１，１３１とを連結する連結部材１２４，１３４の切り欠き１２４ａ，１３４ａの部分を切断する。
【０１３０】
このようにして、連結部材１２３，１２４，１３３，１３４を切断することにより、基板ボックス１４０の封印が解除され、ボックス本体１４１からボックス蓋体１４２を外すことができる。そして、制御用ＲＯＭ等の検査終了後、基板管理番号シール１６１の検査履歴１６１ｄに所定の事項を記載して、ボックス本体１４１にボックス蓋体１４２を被せて、未使用の一対の封印部材１２１，１３１に保持されている封印金具１１１を押し込むことにより、かかる封印部材１２１，１３１を連結して、基板ボックス１４０を再度封印する。
【０１３１】
尚、本実施の形態では、各封印ユニット１０１に、封印部材１２１，１３１が各４個ずつ計４組設けられているので、最大３回まで基板ボックス１４０の封印を解除して開封することができる。また、止むを得ず全ての封印部材１２１，１３１を切断して排除した場合には、ユニット部材１２０，１３０をボックス本体１４１およびボックス蓋体１４２に固定する「かしめ」またはねじ止めを取り付り外し、新たなに封印ユニット１０１のユニット部材１２０，１３０をボックス本体１４１およびボックス蓋体１４２に取り付ければよい。
【０１３２】
以上説明したように、不正防止のための封印処理及び不正発見のための封印処理が、主基板５１の基板ボックス１４０Ａに施されるばかりか、同様の封印処理が払出制御基板５２の基板ボックス１４０Ｂに対しても施されることにより、大当り等の不正処理に直接関わらないような遊技球Ｂの不正な払出を防止することができる。
【０１３３】
また、主基板５１の基板ボックス１４０Ａに施される封印処理構成と払出制御基板５２の基板ボックス１４０Ｂに施される封印処理構成とを同一のものとしたことによって、封印処理構成のための製造が複雑化するのを防止することも可能となる。
【０１３４】
尚、上述した実施の形態の記載内容に限定されることなく、例えば次のように実施してもよい。
【０１３５】
図１１に示すように、払出制御基板５２のうち、主基板５１がチェックをしていない貸出球払出処理回路部７２のみを基板ボックス１４０Ｂに納めて封印するようにしてもよい。これは、そもそも払出制御基板５２上では景品球払出処理回路部７１と貸出球払出処理回路部７２とは個別分離して処理が行われるものであるため、回路上の完全な分割が可能であり、不正を主基板５１が発見できない貸出球払出処理回路部７２のみを封印すればよいという理由に基づくものである。この場合、基板ボックス１４０Ｂが必要箇所だけに設けられる点で合理的である。
【０１３６】
図１２に示すように、払出制御基板５２を細分化、即ち景品球払出制御基板５２Ａと貸出球払出制御基板５２Ｂとに分割し、貸出球払出制御基板５２Ａ側にのみ基板ボックス１４０Ｂを設けて封印するようにしてもよい。これも、そもそも払出制御基板５２上では景品球払出処理回路部７１と貸出球払出処理回路部７２とは個別分離して処理が行われるものであるため、回路上の完全な分割が可能であり、不正を主基板５１が発見できない貸出球払出処理回路部７２のみを封印すればよいという理由に基づくものである。この場合、景品球払出制御基板５２Ａと貸出球払出制御基板５２Ｂとの分割によって、例えばカードを用いないパチンコ機への適用についても貸出球払出制御基板５２Ｂを設けないというだけで対応可能であるという利点がある。
【０１３７】
上記実施の形態では、主基板５１側の基板ボックス１４０Ａと払出制御基板５２の基板ボックス１４０Ｂとで封印処理構成を同一化して製作容易性を確保したが、これよりも不正防止等を重視する観点では、基板ボックス１４０Ａと基板ボックス１４０Ｂとで封印処理構成を全く別のものとしてもよい。
【０１３８】
上記実施の形態では、主基板５１側の基板ボックス１４０Ａと払出制御基板５２の基板ボックス１４０Ｂとで両者とも正規な方式により封印解除可能となっていたが、主基板５１側では検査が行われる必要性からその点は必要である一方、払出制御基板５２側では検査が不要とも考えられるため、払出制御基板５２側では完全に封止して基板ボックス１４０Ｂを開放不能にしてもよい。
【０１３９】
上記実施の形態では、被覆部材１２５は、４つの封印部材１２１，１３１を被覆する側面被覆部１２５ａ、底面被覆部１２５ｂおよび前面被覆部１２５ｃによって構成されていたが、４つの封印部材１２１，１３１の両端に１つずつ封印部材１２１，１３１を設け、その封印部材１２１，１３１を前記側面被覆部１２５ａの代わりとし、被覆部材１２５を底面被覆部１２５ｂおよび前面被覆部１２５ｃのみの構成としてもよい。また、被覆部材１２５は、側面被覆部１２５ａ、底面被覆部１２５ｂおよび前面被覆部１２５ｃにより構成されているが、各部を一体化して形成することとしてもよい。さらに、被覆部材１２５（側面被覆部１２５ａ、底面被覆部１２５ｂおよび前面被覆部１２５ｃ）は、３枚の板状体で構成されているが、１枚以上であれば何枚でもよい。但し、各板状体の厚さに関わらず、可能な限り板状体数を増やした方が、上記不正行為を防止する効果を高めることができる。また、形成材料は樹脂でなくとも、金属等容易に細工するのが難しいものであれば何でもよい。また、各板状体表面に凹凸部を設けてもよい。又は、内部に気泡等の空間部を設けてもよい。このようにすれば、被覆部材１２５に孔を開ける等の不正行為を行うに際して、直線的に孔を開けることが容易にはできなくなり、不正を防止できる。また、本実施の形態において、封印金具１１１は略板状体の形状のものを使用したが、これに限らず略棒形状等の封印金具を使用することとしてもよい。また、封印部材１２１，１３１を連結し基板ボックス１４０を封印するための部材として、封印金具１１１を使用したが、かかる部材は、これに限られるものではなく、封印ねじ等を使用しても良い。また、封印金具は金具でなくとも、例えば樹脂等の封印部材１２１，１３１を連結できるものであれば、何でもよい。また、本実施の形態における基板ボックス封印ユニットとしての封印ユニット１０１は基板ボックス１４０と別々に構成されていたが、これを一体として基板ボックス封印ユニットとしてもよい。また、被覆部材１２５のみをボックス本体１４１からボックス蓋体１４２に配設して、封印部材１２１，１３１を被覆する構成としてもよい。また、ボックス本体１４１とボックス蓋体１４２とに跨る封印シール（剥がすと痕跡が残る性質を有するシール）を貼付することによって不正を容易に発見できるようにしてもよい。以上のように、封印の構成としては各種考えられ、以上例示したもののいずれかに限定されるものではない。
【０１４０】
上記実施の形態とは異なるタイプのパチンコ機等として実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当り図柄が表示された後に所定の領域に遊技球を入賞させることを必要条件として特別遊技状態となるパチンコ機として実施してもよい。また、パチンコ機以外にも、アレンジボール機、雀球、スロットマシン、いわゆるパチンコ機とスロットマシンとが融合した遊技機等の各種遊技機として実施することも可能である。なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段とを備えたスロットマシン」となり、この場合、遊技媒体はコイン、メダル等が代表例として挙げられる。また、パチンコ機とスロットマシンとが融合した遊技機の具体例としては、複数の図柄からなる図柄列を変動表示した後に図柄を確定表示する可変表示手段を備えており、遊技球打出用のハンドルを備えていないものが挙げられる。この場合、所定の操作（ボタン操作）に基づく、所定量の遊技球の投入の後、例えば操作レバーの操作に起因して図柄の変動が開始され、例えばストップボタンの操作に起因して或いは所定時間経過することにより図柄の変動が停止され、その停止時の確定図柄がいわゆる大当たり図柄であることを必要条件として遊技者に有利な大当たり状態が発生させられ、遊技者には、下部の受皿に多量の遊技球が払い出されるものである。
【０１４１】
上記実施の形態では、パチンコ機として非封入式のものを例に挙げて説明したが、封入式パチンコ機等の封入式遊技機として構成してもよい。即ち、遊技球Ｂ等の遊技媒体を直接遊技者の手元に払い出す方式とせず、遊技球Ｂ等の遊技媒体を封入して構成する。そして、メダル、カード（記録媒体）等の投資媒体をもとに、その投資媒体の価値に応じて、封入された遊技媒体での遊技を可能とするものである。一方、入賞等によって遊技媒体を遊技者に返還する際には、カード（記録媒体）に景品価値を記録したり、メダル等の景品価値を返還するようにして、更なる遊技の続行を可能ならしめるというものである。このような封入式遊技機にあっては、遊技球Ｂ等の遊技媒体を実際に遊技者に払い出す等の工程をなくすことができる。そして、封入式遊技機にあっては、上記実施の形態に示したような景品球払出装置６５及び貸出球払出装置６６に代えて、払出装置として仮想媒体払出装置（現実に遊技者に払い出すのではなく、有効な媒体価値を記憶し遊技者に知らしめるべく表示する機能と、遊技の進行に伴い増減する有効な媒体価値を書換記憶する機能とを備える）を設け、また、前記払出制御基板５２はその仮想媒体払出装置を制御する機能を有することとなる。勿論、この場合は仮想媒体払出装置の機能の一部は払出制御基板５２が担うこととなる。
【符号の説明】
【０１４２】
９…カードサンド、１０…カード関連ユニット、１０ａ…貸玉スイッチ、１０ｂ…返却スイッチ、１０ｃ…残額表示器、１９…表示手段としての特別図柄表示装置、５０…制御装置、５１…制御基板としての主基板、５２…制御基板としての払出制御基板、５３…図柄表示装置制御基板、５４…音声制御基板、５５…ランプ制御基板、５６…発射制御基板、６５…払出装置としての景品球払出装置、６６…払出装置としての貸出球払出装置、７１…景品球払出処理回路部、７２…貸出球払出処理回路部、１０１…封印手段としての封印ユニット、１１１…封印部材又は連結保持部材としての封印金具、１２０，１３０…第１封印部材又は第２封印部材としてのユニット部材、１４０Ａ…被包手段としての基板ボックス、１４０Ｂ…被包手段としての基板ボックス、１４１…第１被包部材としてのボックス本体（ボックスベース）、１４２…第２被包部材としてのボックス蓋体（ボックスカバー）。
【図１】
0005212493.tif 000002
【図２】
0005212493.tif 000003
【図３】
0005212493.tif 000004
【図４】
0005212493.tif 000005
【図５】
0005212493.tif 000006
【図６】
0005212493.tif 000007
【図７】
0005212493.tif 000008
【図８】
0005212493.tif 000009
【図９】
0005212493.tif 000010
【図１０】
0005212493.tif 000011
【図１１】
0005212493.tif 000012
【図１２】
0005212493.tif 000013